(57)【特許請求の範囲】
【請求項１】
情報を記録媒体に記録するビデオカメラにおいて、
前記記録媒体は、ファイナライズにより再生装置で再生可能となるものであり、
一回の記録開始から記録停止までの情報を一つのチャプタで管理し、チャプタをタイトルで管理し、タイトルをビデオタイトルセットで管理し、記録属性の異なる前記情報を異なるビデオタイトルセットで管理する中間管理情報を生成し、前記中間管理情報とは異なるビデオタイトルセット情報を、前記記録媒体をイジェクトする動作指示があった場合に生成する管理情報生成手段と、
前記情報及び前記中間管理情報及び前記ビデオタイトルセット情報の前記記録媒体への記録、及び前記中間管理情報を用いた前記記録媒体のファイナライズをする記録手段とを有し、
前記ファイナライズ後の前記記録媒体は前記イジェクト動作の前後で異なる前記ビデオタイトルセット情報が再生装置で再生可能とされていることを特徴とするビデオカメラ。
【請求項２】
請求項１記載のビデオカメラであって、
前記記録媒体は光ディスクであり、
前記一回の記録開始から記録停止までの情報の個数が、前記光ディスクにおける前記ビデオタイトルセットの最大個数以上であることを特徴とするビデオカメラ。
【請求項３】
情報を記録媒体に記録する記録方法であって、
前記記録媒体は、ファイナライズにより再生装置で再生可能となるものであり、
一回の記録開始から記録停止までの情報を一つのチャプタで管理し、チャプタをタイトルで管理し、タイトルをビデオタイトルセットで管理し、記録属性の異なる前記情報を異なるビデオタイトルセットで管理する中間管理情報を生成するステップと、
前記中間管理情報とは異なるビデオタイトルセット情報を、前記記録媒体をイジェクトする動作指示があった場合に生成するステップと、
前記情報及び前記中間管理情報及び前記ビデオタイトルセット情報を前記記録媒体に記録するステップと、
前記中間管理情報を用いた前記記録媒体のファイナライズをするステップとを有し、
前記ファイナライズ後の前記記録媒体は前記イジェクト動作の前後で異なる前記ビデオタイトルセット情報が再生装置で再生可能とされていることを特徴とする記録方法。
【請求項４】
請求項３記載の記録方法であって、
前記記録媒体は光ディスクであり、
前記一回の記録開始から記録停止までの情報の個数が、前記光ディスクにおける前記ビデオタイトルセットの最大個数以上であることを特徴とする記録方法。
【発明の詳細な説明】
【技術分野】
【０００１】
本発明は、情報を記録媒体に記録する技術に関する。
【背景技術】
【０００２】
光ディスクや光磁気ディスクのような記録媒体の大容量化及び高能率符号化技
術の進歩に伴い、画像音声情報をデジタル的に情報量圧縮して記録再生する技術
の開発が盛んである。特に近年、放送やライン入力による画像音声情報を、書込
み可能な光ディスクに録画する据置型のレコーダ、及び可搬性のあるビデオカメ
ラなどが開発されている。前記光ディスクとして書込み可能なＤＶＤ媒体が用い
られ、特に既存のＤＶＤプレーヤとの再生互換を重視する場合、画像音声情報の
記録フォーマットとしては、一般のセルビデオなどに使用されているＤＶＤビデ
オフォーマットが適用される。
【０００３】
図２は、ＤＶＤビデオフォーマットにより情報が記録された光ディスクにおけ
る、画像音声情報の管理構造を示したものである。光ディスク２０１上の情報は
、内周から順にビデオマネージャ２０２及びビデオタイトルセット２０３、ビデ
オタイトルセット２０４、・・・ビデオタイトルセット２０５という形式で配置
され、管理される。
【０００４】
ビデオマネージャ２０２は、ビデオマネージャ情報２０６、ビデオマネージャ
メニュービデオオブジェクトセット２０７、及びビデオマネージャ情報バックア
ップ２０８により構成される。ビデオマネージャ情報２０６は、光ディスク２０
１に記録された情報全体の管理情報であり、ビデオマネージャメニュービデオオ
ブジェクトセット２０７は、記録された情報のメニュー表示を行うための情報で
ある。またビデオマネージャ情報バックアップ２０８はビデオマネージャ情報２
０６と同じ内容が含まれる管理情報であり、ビデオマネージャ情報２０６が使用
できない場合のバックアップとして用いられる。
【０００５】
さらにビデオタイトルセット２０３からビデオタイトルセット２０５に示され
る各ビデオタイトルセットは、ビデオタイトルセット情報２０９、ビデオタイト
ルセットメニュービデオオブジェクトセット２１０、ビデオタイトルセットビデ
オオブジェクトセット２１１、ビデオタイトルセット情報バックアップ２１２に
より構成される。ビデオタイトルセット情報２０９は当該ビデオタイトルセット
を管理するための情報であり、ビデオタイトルセットメニュービデオオブジェク
トセット２１０は当該ビデオタイトルセットに記録された情報の詳細メニュー表
示を行うための情報である。ビデオタイトルセットビデオオブジェクトセット２
１１は記録された画像音声情報そのものであり、適当な形式で符号化されたスト
リーム情報となる。またビデオタイトルセット情報バックアップ２１２はビデオ
タイトルセット情報２０９と同じ内容が含まれる管理情報であり、ビデオタイト
ルセット情報２０９が使用できない場合のバックアップとして用いられる。
【０００６】
上記説明したＤＶＤビデオフォーマットによる情報管理構造は、レコーダやビ
デオカメラなどの記録装置においては光ディスクを再生装置で再生可能とするた
めの処理（以降ファイナライズと呼ぶ）が成された後に完全な形で形成されるも
のである。ファイナライズ前の状態においては、ビデオタイトルセットビデオオ
ブジェクトセット２１１に相当するストリーム情報と、光ディスクを再生専用の
光ディスクにする処理の際にその他の情報を生成するために必要な中間的な管理
情報（中間管理情報と呼ぶ）とが上記光ディスク２０１上に記録される。
【０００７】
図３にファイナライズ前の管理構造の一例を示した。光ディスク３０１には、
ビデオタイトルセット３０２、ビデオタイトルセット３０３、ビデオタイトルセ
ット３０４、…ビデオタイトルセット３０５というように、ビデオタイトルセッ
トが、１回の記録開始から記録終了まで（以下、シーンと呼ぶ）の数だけ増えて
いく管理構造が構築される。このとき、ビデオタイトルセット３０２、ビデオタ
イトルセット３０３、ビデオタイトルセット３０４、…ビデオタイトルセット３
０５は、各々がタイトル３０６、タイトル３０７、タイトル３０８、…タイトル
３０９に一対一で対応付けられる。
【発明の開示】
【発明が解決しようとする課題】
【０００８】
上記従来技術では、１シーンを１つのビデオタイトルセットに対応させる。し
かし、ビデオカメラにおいては、１つのビデオタイトルセットを１つのシーンに
対応させた場合に、記録終了毎のビデオタイトルセットとしての体裁を整えるた
めの時間が生じるという課題がある。また、光ディスク上では、ビデオタイトル
セットの数に制限（９９ビデオタイトルセット）があるという課題がある。一方
、一つのビデオタイトルセット内では情報の記録属性（画像音声情報の解像度等
）を固定としなければならないという課題がある。
【０００９】
そこで、本発明は、上記従来の課題を解決することを目的とする。また、情報
を記録装置により記録媒体に記録する技術において、前記記録装置の使い勝手を
向上することを目的とする。
【課題を解決するための手段】
【００１０】
上記発明の目的を解決するために、本発明は、例えば特許請求の範囲記載の構成を用いる。
【発明の効果】
【００１２】
以上、本発明は、情報を記録装置により記録媒体に記録する技術において、記
録装置の使い勝手を向上することができる。
【発明を実施するための最良の形態】
【００１３】
以下、本発明の第一の実施形態について図１及び図４を用いて説明をする。本
実施形態において、画像音声情報を記録装置により光ディスクに記録する技術に
ついて説明をするが、本発明は、情報を記録媒体に記録する技術に適応すること
ができる。
【００１４】
図１は、本実施形態における記録装置を示す図であり、画像音声情報を記録す
る記録装置を示している。図１において、画像音声情報は、画像音声情報入力回
路１０１を介して入力される。画像音声情報処理回路１０２は、入力された画像
音声情報を所定の符号化方式により符号化し、ストリーム情報を生成する。記録
再生回路１０３は、所定の信号処理と光ヘッド１０４の駆動制御を行うものであ
り、光ヘッド１０４を介してストリーム情報及び中間管理情報が光ディスク１０
５に記録される。制御回路１０６は、指示入力回路１０７から入力された指示に
基いて、画像音声情報処理回路１０２、記録再生回路１０３等の制御を行い、ま
た、中間管理情報やビデオタイトルセット情報の生成処理を行なう。
【００１５】
本実施形態においては、記録される画像音声情報の管理構造は、図４に示すよ
うになる。即ち、１シーンに記録される画像音声情報を１チャプタとして管理す
る。また、光ディスク４０１に記録される全ての情報を一つのビデオタイトルセ
ット４０２として管理する。さらにビデオタイトルセット４０２を、タイトル４
０３、タイトル４０４、…タイトル４０６のように細分化し、一つのタイトルを
、チャプタ４０７、チャプタ４０８、チャプタ４０９…チャプタ４１０のように
細分化する。
【００１６】
以上、第一の実施形態では、記録終了時にビデオタイトルセットを作る時間等
を省くことができ、その分だけ記録終了時間を短縮できる。さらに、ビデオタイ
トルセット数の制限（最大９９）より多くの回数のシーンを記録できるようにな
るという効果がある。
【００１７】
次に第二の実施形態について図１、図２、図５、及び図６を用いて説明をする
。
本実施形態においては、同一の光ディスクで解像度を変更する場合の記録技術
について説明をする。但し、本実施形態においては、解像度の変更について説明
をするが、本発明は解像度の変更に限られず、記録属性を変更する場合の記録技
術に適応することができる。また、本実施形態では、第一の実施形態と同様に、
１シーンに記録される画像音声情報を１チャプタとして管理するものとする。
【００１８】
本実施形態において、解像度設定指示があった場合の処理について、図５を用いて詳細に説明する。図５は処理開始後、解像度の設定指示があった場合の記録装置の記録動作を示したものである。ステップＳ５０１において処理が開始され、ステップＳ５０２において解像度の設定指示があると、処理はステップＳ５０３に進む。ステップＳ５０３においては、光ディスク１０５に最後に記録された画像音声情報の解像度が、設定を指示された解像度と同一であるか否かを判断する。
【００１９】
即ち、ステップＳ５０３において、光ディスク１０５に最後に記録された画像音声情報の解像度が、設定を指示された解像度と同一であると判断した場合（例えば、図６において、光ディスク６０１に最後に記録された画像音声情報がチャプタ６１２の画像音声情報である場合に、解像度Ｂへの設定を指定された場合）には、ステップＳ５０５において、制御回路１０６はビデオタイトルセットを構成する情報の体裁を整えることなく解像度を設定する。一方、ステップＳ５０３において、光ディスク１０５に最後に記録された画像音声情報の解像度が、設定を指示された解像度と同一でないと判断した場合（例えば、図６において、光ディスク６０１に最後に記録された画像音声情報がチャプタ６１２の画像音声情報である場合に、解像度Ａへの変更を指示された場合）は、ステップＳ５０４において、制御回路１０６は光ディスク１０５のビデオタイトルセットを構成する情報の体裁を整え、処理はステップＳ５０５に進む。ステップＳ５０５においては、制御回路１０６は解像度の設定処理を行なう。次に、ステップＳ５０６において動作指示待ち状態となり、処理は終了する。
【００２０】
なお、ビデオタイトルセットを構成する情報の体裁を整える処理として、制御
回路１０６は、ビデオタイトルセットを構成する情報の体裁を整えようとするビ
デオタイトルセットに対応するビデオタイトルセット情報、ビデオタイトルセッ
トメニュービデオオブジェクトセット、ビデオタイトルセット情報バックアップ
を生成し、記録再生回路１０３を介して、光ディスク１０５に記録させる。
【００２１】
以上のように処理し、動作指示待ち状態において、画像音声情報の記録を指示
された場合は画像音声情報の記録することにより、図６に示すように、画像音声
情報は、解像度毎にビデオタイトルセットで管理されることとなる。従って、画
像音声情報は、解像度が同じである場合には、同じビデオタイトルセットで管理
され、解像度が異なる場合には異なるビデオタイトルセットで管理される。また
、図６に示すように、ビデオタイトルセット６０２内の画像音声情報の解像度は
解像度Ａであるが、ビデオタイトルセット６０２を構成する情報の体裁を整えた
後は、同じ解像度の画像音声情報でも異なるビデオタイトルセット６０４で画像
音声情報を管理する。
【００２２】
なお、上述のように、本願発明は、解像度の変更を指示される場合に限らず、
記録属性の変更を指示される場合に適用することができる。
【００２３】
以上、第二の実施形態においては、ビデオタイトルセット数（例えば９９個）
の制限よりも多くの回数のシーンを記録することができる。また、記録属性を変
更せずに情報の記録を行う場合には、記録終了時にビデオタイトルセットを作る
時間等を省くことができ、その分だけ記録終了時間を短縮できる。さらに、情報
の記録属性を変更して、情報を記録媒体に記録することができる。
【００２４】
次に、第三の実施形態について説明をする。
第二の実施形態においては、記録属性の変更を指示された場合に、ビデオタイ
トルセットを構成する情報の体裁を整える動作を行う処理について述べたが、本
実施形態においては、光ディスクイジェクトや電源遮断等の動作指示の場合も、
ビデオタイトルセットを構成する情報の体裁を整えることとする。
【００２５】
このようにすることにより、光ディスクイジェクトや電源遮断の後は、記録属性の変更を指示されることが多く、その場合に、ビデオタイトルセットを構成する情報の体裁を整えるのに要する時間を低減することができ、記録装置の使い勝手が向上する。
本発明は、前述の目的を解決するために、情報を記録媒体に記録する技術において、一回の記録開始から記録停止までの情報を一つのチャプタで管理し、チャプタをタイトルで管理し、タイトルをビデオタイトルセットで管理し、記録属性の異なる前記情報を、異なるビデオタイトルセットで管理するように前記管理情報を生成し、前記情報及び前記管理情報を前記記録媒体に記録する技術とする。
また、本発明は、情報を記録装置により記録媒体に記録する技術において、前記情報の記録属性の変更を指示された場合に、前記記録媒体へ最後に記録された情報の記録属性と、変更を指示された記録属性とが同じか否かを判別し、前記記録媒体へ最後に記録された情報の記録属性と、変更を指示された記録属性とが同じと判別された場合には、ビデオタイトルセットを構成する情報の体裁を整えることなく記録属性の変更をし、前記記録媒体へ最後に記録された情報の記録属性と、変更を指示された記録属性とが異なると判別した場合には、ビデオタイトルセットを構成する情報の体裁を整えてから記録属性の変更し、記録開始を指示された場合に、情報が入力され、前記入力された情報を、前記変更した記録属性で前記記録媒体に記録する技術とする。
【図面の簡単な説明】
【００２６】
【図１】記録装置の実施形態を示すブロック図
【図２】光ディスク上の情報の管理構造を示した図
【図３】光ディスク上の情報の管理構造を示した図
【図４】第一の実施形態における光ディスク上の情報の管理構造を示した図
【図５】第二の実施形態による記録装置の動作フローを示した図
【図６】第二の実施形態による解像度変更後の光ディスク上の情報の管理構造を示した図
【符号の説明】
【００２７】
１０１…画像音声情報入力回路、１０２…画像音声情報処理回路、１０３…記録
再生回路、１０４…光ヘッド、１０５…光ディスク、１０６…制御回路、１０７
…指示入力回路、６０２…ビデオタイトルセット、６０５…タイトル、６１０…
チャプタ
【図１】
0004848290.tif 000002
【図２】
0004848290.tif 000003
【図３】
0004848290.tif 000004
【図４】
0004848290.tif 000005
【図５】
0004848290.tif 000006
【図６】
0004848290.tif 000007